(57)【要約】【課題】本発明は、オンライン上で伝播されるコンテンツに関する費用を算出する方法及びその方法を遂行するシステムに関する新しい技術を提案する。【解決手段】本発明に係るバイラルシステムにおけるバイラルトラッキング及び課金を遂行する方法は、バイラルトラッキングのためのバイラルをコンテンツに挿入する段階と、バイラルを介してコンテンツに対するバイラル情報を獲得する段階と、バイラル情報に基づいて、コンテンツに対するコンテンツ費用を算出する段階と、を含む。【選択図】図２
2008009988.tif 000002
【特許請求の範囲】
【請求項１】
バイラルシステムにおけるバイラルトラッキング及び課金を遂行する方法であって、
バイラルトラッキングのためのバイラルをコンテンツに挿入する段階と、
前記バイラルを介して前記コンテンツに対するバイラル情報を取得する段階と、
前記バイラル情報に基づいて前記コンテンツに対するコンテンツ費用を算出する段階と、を含むことを特徴とするバイラルトラッキングおよび課金方法。
【請求項２】
前記バイラル情報は、母体情報および状態情報を含み、
前記バイラルは、前記コンテンツが再生される場合に前記バイラル情報を前記バイラルシステムに送信する送信モジュールを含むことを特徴とする請求項１に記載のバイラルトラッキングおよび課金方法。
【請求項３】
前記母体情報は、スクラップされたコンテンツの母体となるコンテンツの伝播情報および位置情報を含み、
前記状態情報は、スクラップされたコンテンツの伝播情報および位置情報を含むことを特徴とする請求項２に記載のバイラルトラッキングおよび課金方法。
【請求項４】
前記伝播情報は、（１）前記コンテンツを識別するためのバイラルＩＤと、（２）前記コンテンツの伝播等級を示すバイラルレベルと、（３）同一バイラルＩＤ、同一バイラルレベルにおいて前記コンテンツを識別するためのバイラルナンバーと、を含み、
前記位置情報は、前記コンテンツが露出されるページのアドレス情報であるＩＰアドレスまたはＵＲＬを含むことを特徴とする請求項３に記載のバイラルトラッキングおよび課金方法。
【請求項５】
前記バイラルは、前記コンテンツがスクラップされる場合に、前記バイラル情報の状態情報をスクラップされるコンテンツの母体情報として相続し、前記コンテンツの状態情報が含む前記バイラルレベル、前記バイラルナンバー及び前記位置情報を更新して前記バイラルシステムに送信する更新および送信モジュールをさらに含むことを特徴とする請求項４に記載のバイラルトラッキングおよび課金方法。
【請求項６】
前記バイラルを介して前記コンテンツに対するバイラル情報を取得する前記段階は、
前記コンテンツが再生される場合に前記バイラルが送信する前記バイラル情報を受信する段階と、
前記バイラル情報をデータベースに記録する段階と、
前記バイラル情報に基づいて前記コンテンツの視聴回数を更新する段階と、を含むことを特徴とする請求項５に記載のバイラルトラッキングおよび課金方法。
【請求項７】
前記バイラル情報に基づいて前記コンテンツの視聴回数を更新する前記段階は、
同一バイラルＩＤのコンテンツに対して前記バイラルレベルおよび前記位置情報別に前記視聴回数を分類して更新する段階であることを特徴とする請求項６に記載のバイラルトラッキングおよび課金方法。
【請求項８】
前記バイラルを介して前記コンテンツに対するバイラル情報を取得する前記段階は、
前記コンテンツがスクラップされる場合に前記バイラルによって更新されて送信される前記バイラル情報を受信する段階と、
前記バイラル情報をデータベースに記録する段階と、
前記バイラル情報に基づいて、前記コンテンツのスクラップ回数を更新する段階と、をさらに含むことを特徴とする請求項６に記載のバイラルトラッキングおよび課金方法。
【請求項９】
前記バイラル情報に基づいて前記コンテンツのスクラップ回数を更新する前記段階は、
同一バイラルＩＤのコンテンツに対して前記バイラルレベルおよび前記位置情報別に前記スクラップ回数を分類して保存または更新する段階であることを特徴とする請求項８に記載のバイラルトラッキングおよび課金方法。
【請求項１０】
前記バイラル情報に基づいて前記コンテンツに対するコンテンツ費用を算出する前記段階は、
前記バイラル情報を記録するデータベースから前記コンテンツに対するバイラル情報および視聴回数を確認する段階と、
前記視聴回数に前記バイラル情報を介して選択されたコンテンツ加重値を付与して前記コンテンツに対するコンテンツ費用を算出する段階と、を含むことを特徴とする請求項１に記載のバイラルトラッキングおよび課金方法。
【請求項１１】
前記視聴回数は、前記バイラル情報が含む伝播情報および位置情報によって分類されて前記データベースに保存されることを特徴とする請求項１０に記載のバイラルトラッキングおよび課金方法。
【請求項１２】
前記視聴回数に前記バイラル情報を介して選択されたコンテンツ加重値を付与して前記コンテンツに対するコンテンツ費用を算出する前記段階は、
前記伝播情報が含むバイラルレベルに基づいて第１コンテンツ加重値を選択する段階と、
前記位置情報に基づいて第２コンテンツ加重値を選択する段階と、
前記視聴回数、前記コンテンツの１回の視聴による費用、前記第１コンテンツ加重値及び前記第２コンテンツ加重値に基づいてバイラル費用を算出する段階と、
前記バイラル費用を合算して前記コンテンツに対するコンテンツ費用を算出する段階と、を含むことを特徴とする請求項１１に記載のバイラルトラッキングおよび課金方法。
【請求項１３】
前記コンテンツは、バイラルマーケティングまたはＷＯＭマーケティングの構成要素となるコンテンツを含むことを特徴とする請求項１に記載のバイラルトラッキングおよび課金方法。
【請求項１４】
請求項１〜１３のいずれか一項の方法を実行させるためのプログラムを記録したコンピュータ読み取り可能な記録媒体。
【請求項１５】
バイラルトラッキングおよび課金を遂行するバイラルシステムであって、
バイラルトラッキングのためのバイラルをコンテンツに挿入するバイラル挿入部と、
前記バイラルを介して前記コンテンツに対するバイラル情報を取得するバイラル情報獲得部と、
前記バイラル情報に基づいて前記コンテンツに対するコンテンツ費用を算出するコンテンツ費用算出部と、を含むことを特徴とするバイラルシステム。
【請求項１６】
前記バイラル情報は、母体情報および状態情報を含み、
前記バイラルは、前記コンテンツが再生される場合、前記バイラル情報を前記バイラルシステムに送信する送信モジュールを含むことを特徴とする請求項１５に記載のバイラルシステム。
【請求項１７】
前記母体情報は、スクラップされたコンテンツの母体となるコンテンツの伝播情報および位置情報を含み、
前記状態情報は、スクラップされたコンテンツの伝播情報および位置情報を含むことを特徴とする請求項１６に記載のバイラルシステム。
【請求項１８】
前記伝播情報は、（１）前記コンテンツを識別するためのバイラルＩＤと、（２）前記コンテンツの伝播等級を示すバイラルレベルと、（３）同一バイラルＩＤ、同一バイラルレベルにおいて前記コンテンツを識別するためのバイラルナンバーと、を含み、
前記位置情報は、前記コンテンツが露出されるページのアドレス情報であるＩＰアドレスまたはＵＲＬを含むことを特徴とする請求項１７に記載のバイラルシステム。
【請求項１９】
前記バイラルは、前記コンテンツがスクラップされる場合に、前記バイラル情報の状態情報をスクラップされるコンテンツの母体情報として相続し、前記コンテンツの状態情報が含む前記バイラルレベル、前記バイラルナンバーおよび前記位置情報を更新して前記バイラルシステムに送信する更新および送信モジュールをさらに含むことを特徴とする請求項１８に記載のバイラルシステム。
【発明の詳細な説明】
【技術分野】
【０００１】
本発明は、オンライン上で伝播されるコンテンツに関する費用を算出する方法及びこの方法を遂行するシステムに関し、より詳細には、バイラルトラッキング（ｖｉｒａｌ  ｔｒａｃｋｉｎｇ）のためのバイラル（viral advertisement）を、コンテンツに挿入して該コンテンツの伝播度と位置を確認し、これに基づいて当該コンテンツの費用を算出する方法及びその方法を遂行するシステムに関する。
【背景技術】
【０００２】
バナー広告とは、ウェブページの一定部分に宣伝しようとする内容をグラフィックイメージ形態で表示した広告の形態を意味し、あたかも垂れ幕のような様態の広告であることからバナー（ｂａｎｎｅｒ）という名称で呼称され、予め定められた規格に動画ファイルなどを用いて広告を出し、所定の広告料を支払う形態となっておる。そして、広告効果を分析するために、バナー広告がユーザに示された回数や一定の期間内にバナー広告のグラフィックがダウンロードされた回数を計算して広告主に知らせたりもする。
【０００３】
当初、ドメインと事業内容を知らせるという四角形状の単純な形態から始まったバナー広告は、最近では、動画を挿入したり、ホームページを開けくと、表示画面に固定的に配置されるなど、その形態は多様化している。
【０００４】
このようなバナー広告は、一般的にＣＰＭ（Cost Per Mill）形態で販売される。ＣＰＭとは、１０００回の広告露出に支払う広告費を意味するものであり、従量制ではなく、定額制の広告を意味する。言い換えれば、例えば、ＣＰＭが１００ウォンである場合、１０００回の広告を露出（表示）させるのに掛かる広告費は、１００ウォンであるということを意味し、一般的にウェブページのトップページの上端や下端に表示されるバナー広告の広告費を基準としている。また、Ｍｉｌｌは、ローマ数字で「１，０００」を示す。
【０００５】
このようなバナー広告とは異なり、インターネットユーザ（ネチズン；「network citizen」(ネットワーク市民)を短縮した造語）が、電子メールやその他の伝播可能な媒体を介することで、ある企業や企業の製品が自発的（例えば、口コミで）に広告されるように製作されたマーケティング技法であるバイラルマーケティング（ｖｉｒａｌ  ｍａｒｋｅｔｉｎｇ又はウイルスマーケティング）がある。コンピュータウイルスのように拡散されるという意味から名づけられたマーケティング技法であり、２０００年末から新しいインターネット広告技法として注目され始め、企業が直接広告宣伝（広報）するのではなく、消費者によって広告宣伝される広告という点において、既存の広告とは異なるものである。
【０００６】
企業は、ファッションやトレンド（流行や風潮）などの現実の流れに従いながら、ネチズン等のインターネットユーザの要求に合致する面白くて新鮮なコンテンツを製作し、これをインターネットサイトなどに無料で掲載して、コンテンツに含まれる企業の名前や製品と関連した内容を間接的に広告する。
【０００７】
ネチズンは、コンテンツの内容が面白ければ、電子メールやその他の伝播可能な媒体を介して他のネチズンにコンテンツを伝達するようになる。このような過程の繰り返しにより、自然にマーケティングが成立するようになる。このようなバイラルマーケティングは、ウェブアニメーション技術に基づいて成され、比較的、ファイルのサイズが小さいため、リアルタイムでの再生が可能であり、コンテンツの製作が簡単で広告（広報）費用があまりかからないという長所を有する。
【０００８】
図１は、従来技術におけるバイラルマーケティングを説明するための図である。
【０００９】
上述したように、バイラルマーケティングでは、広告の主体となる企業又はバイラルマーケティングを代行する広告代理業社が、コンテンツ１０１をインターネットサイトなどに掲載し、コンテンツ１０１の内容が当該コンテンツ１０１にアクセスするユーザによってスクラップ又はダウンロードされ、同一又は異なるサイトに掲載される。
【００１０】
このように、同一又は異なるサイトに掲載されたコンテンツ１０２は、さらに他のユーザによって同じようにスクラップ又はダウンロードされる。このような方法を用いてコンテンツが多くのユーザに伝播されるようになり、コンテンツ１０１に含まれた企業の名前又は製品に関する内容が、多くのユーザに伝達されて広告（広報）されるようになる。
【００１１】
しかしながら、このような従来のバイラルマーケティングは、コンテンツの製作及び広告（広報）が代行される場合には、製作されたコンテンツが、どのくらいの量、流布され広告されているのかを確認することができず、上述したバナー広告のように、広告費用を算出するための明確な根拠を設け難くなるという問題点がある。
【００１２】
【特許文献１】大韓民国公開特許第２００１−００６９９４４号公報
【発明の開示】
【発明が解決しようとする課題】
【００１３】
本発明は、このような従来技術の問題点を解決するために案出されたものであり、オンライン上で伝播されるコンテンツに関する費用を算出する方法及びその方法を遂行するシステムに関する新しい技術を提案する。
【００１４】
また、本発明は、バイラルマーケティング又はＷＯＭ（Ｗｏｒｋ  Ｏｆ  Ｍｏｕｔｈ）マーケティングなどに含まれるコンテンツの伝播情報及び位置情報を獲得（取得）することができるバイラル（viral advertisement）をコンテンツに挿入し、このバイラルを介して伝播されたコンテンツに対する伝播情報及び位置情報を取得することで、バイラルマーケティング又はＷＯＭマーケティングなどの広告費用を算出することを目的とする。
【００１５】
また、本発明の他の観点としては、映像、音源、イメージ、プログラムなどのコンテンツに対する流布度（distribution degree）および利用度(utilization degree)を把握し、必要に応じてコンテンツの使用料を算出して課金のために用いることを他の目的とする。
【課題を解決するための手段】
【００１６】
前記の目的を達成し、上述した従来技術の問題点を解決するために、本発明の一実施形態に係るバイラルシステムにおいてバイラルトラッキング（ｖｉｒａｌ  ｔｒａｃｋｉｎｇ）および課金を遂行する方法は、バイラルトラッキングのためのバイラルをコンテンツに挿入する段階と、前記バイラルを介して前記コンテンツに対するバイラル情報（ｖｉｒａｌ  ｉｎｆｏｒｍａｔｉｏｎ）を獲得する段階と、前記バイラル情報に基づいて前記コンテンツに対するコンテンツ費用を算出する段階と、を含む。
【００１７】
また、本発明の一側面によれば、前記バイラル情報は、母体情報および状態情報を含むことができ、前記バイラルは、前記コンテンツが再生される場合に、前記バイラル情報を前記バイラルシステムに送信する送信モジュールを含むことができる。
【００１８】
また、本発明の他の側面によれば、前記母体情報は、スクラップされたコンテンツの母体となるコンテンツの伝播情報および位置情報を含むことができ、前記状態情報は、スクラップされたコンテンツの伝播情報および位置情報を含むことができる。
【００１９】
また、本発明のさらに他の側面によれば、前記伝播情報は、（１）前記コンテンツを識別するためのバイラルＩＤと、（２）前記コンテンツの伝播等級を示すバイラルレベル（Ｖｉｒａｌ  Ｌｅｖｅｌ：ＶＬ）と、（３）同一バイラルＩＤ、同一バイラルレベルにおいて前記コンテンツを識別するためのバイラルナンバー（Ｖｉｒａｌ  Ｎｕｍｂｅｒ：ＶＮ）と、を含むことができ、前記位置情報は前記コンテンツが露出されるページのアドレス情報であるＩＰアドレスまたはＵＲＬを含むことができる。
【００２０】
また、本発明の他の実施形態によれば、バイラルトラッキングおよび課金を遂行するバイラルシステムは、バイラルトラッキングのためのバイラルをコンテンツに挿入するバイラル挿入部と、前記バイラルを介して前記コンテンツに対するバイラル情報を取得するバイラル情報獲得部と、前記バイラル情報に基づいて前記コンテンツに対するコンテンツ費用を算出するコンテンツ費用算出部と、を含む。
【発明の効果】
【００２１】
本発明によれば、バイラルマーケティング又はＷＯＭマーケティングなどに含まれるコンテンツの伝播情報及び位置情報を獲得することができるバイラルをコンテンツに挿入し、バイラルを介して伝播されたコンテンツに対する伝播情報及び位置情報を獲得することで、バイラルマーケティング又はＷＯＭマーケティングなどの広告費用を算出することができる。
【００２２】
また、本発明によれば、映像、音源、イメージ、プログラムなどのコンテンツに対する流布度（distribution degree）及び利用度(utilization degree)を把握することができ、必要に応じてコンテンツの使用料を算出して課金のために用いることができる。
【発明を実施するための最良の態様】
【００２３】
以下、添付の図面を参照して、本発明に係る多様な実施形態を詳しく説明する。
【００２４】
図２は、本発明の一実施形態において、バイラルトラッキング及び課金を遂行するバイラルシステムの概括的な様子を示した図である。
【００２５】
図２に示すように、バイラルシステム２００は、映像、音源またはイメージなどのコンテンツ２０１に、コンテンツ２０１の伝播程度及び位置を把握するためのバイラル２０２（viral advertisement）を挿入し、コンテンツ２０１がネットワーク２０３を介して個人用端末機２０４またはインターネットサイトを運営するサーバ２０５などに拡散（流布、配布）するようにする。このとき、拡散したコンテンツ２０１が再生又はスクラップされる度に、バイラル２０２を介してバイラル情報を受信し（２０６）、バイラル情報を介してコンテンツ２０１に対する課金を遂行する。
【００２６】
この場合の課金とは、バイラルマーケティング又はＷＯＭマーケティングのように、コンテンツ２０１に広告を含んで広報する過程を代行した業社（広告代理店）において、バイラル情報を用いて広告の広報に対する費用を算出する過程である。
【００２７】
バイラル情報とは、コンテンツ２０１の伝播程度、位置及び視聴回数などの情報を獲得（取得）するためにバイラル２０２に含まれた情報であって、コンテンツ２０１がスクラップされる際に、母体となるコンテンツ２０１からスクラップされたコンテンツへと相続され（コピーされ）、コンテンツ２０１の情報とスクラップされたコンテンツの情報をすべて含むことができる。
【００２８】
このように、本発明の一実施形態によれば、バイラルマーケティング又はＷＯＭマーケティングなどの構成要素となるコンテンツの伝播情報及び位置情報を獲得することができるバイラルをコンテンツに挿入し、バイラルを介して伝播されたコンテンツに対する伝播情報及び位置情報を獲得することで、バイラルマーケティング又はＷＯＭマーケティングなどの広告費用を算出することができる。
【００２９】
以下、コンテンツの伝播情報及び位置情報を介したコンテンツのバイラルトラッキング及び課金を遂行する方法について、図３〜８を参照してさらに詳しく説明する。
【００３０】
図３は、本発明の一実施形態において、バイラルシステムでバイラルトラッキング及び課金を遂行する方法を示したフローチャートである。
【００３１】
段階３０１で、バイラルシステムは、バイラルトラッキングのためのバイラル（バイラルパッケージ）をコンテンツに挿入する。この場合、コンテンツは、バイラルマーケティング又はＷＯＭマーケティングの構成要素となるコンテンツである。このようなコンテンツにこのバイラルを挿入し、コンテンツが再生又はスクラップされる際に、当該バイラルを介してバイラルトラッキング処理を遂行する。
【００３２】
段階３０２で、バイラルシステムは、コンテンツに挿入されたバイラルを介して当該コンテンツに対するバイラル情報を取得する。このような本実施形態のバイラルは、コンテンツが再生される場合にバイラル情報をバイラルシステムに送信する送信モジュール、及び当該コンテンツがスクラップされる場合にバイラル情報の状態情報をスクラップされるコンテンツの母体情報として相続し、コンテンツの状態情報が含むバイラルレベル（VL）、バイラルナンバー（VN）および位置情報を更新して、バイラルシステムに送信する更新及び送信モジュールを含むことができる。すなわち、本実施形態のコンテンツに適用されるバイラルは、送信モジュールや更新及び送信モジュールを含むバイラルパッケージとしてのプログラムとして構成されている。
【００３３】
また、バイラル情報は、スクラップされたコンテンツの母体となるコンテンツの伝播情報と位置情報とを含む母体情報とスクラップされたコンテンツの伝播情報と位置情報を含む状態情報とを含むことができる。
【００３４】
本実施形態の伝播情報は、（１）コンテンツを識別するためのバイラルＩＤと、（２）コンテンツの伝播等級を示すバイラルレベルと、（３）同一バイラルＩＤ、同一バイラルレベルにおいてコンテンツを識別するためのバイラルナンバーと、を含むことができ、本実施形態の位置情報は、コンテンツが露出（表示）されるページのアドレス情報であるＩＰアドレス又はＵＲＬを含むことができる。
【００３５】
なお、バイラル情報を取得して処理する方法については、後に図４を参照してさらに詳しく説明する。
【００３６】
段階３０３で、バイラルシステムは、取得したバイラル情報に基づいてコンテンツに対するコンテンツ費用を算出する。このような本実施形態のコンテンツ費用とは、コンテンツがバイラルマーケティング又はＷＯＭマーケティングの構成要素となるコンテンツ、すなわち広告の目的として製作されたコンテンツに対する広告費用であって、バイラル情報は、このような広告費用の算出に対する根拠資料となる。なお、コンテンツ費用を算出する詳細な方法については、後に図７を参照してさらに詳しく説明する。
【００３７】
図４は、本発明の一実施形態において、バイラル情報を取得して処理する方法を示したフローチャートである。図４に示すように、段階４０１〜４０７は、図３の段階３０２に含まれて遂行される。
【００３８】
段階４０１で、バイラルシステムは、バイラルが挿入されたコンテンツが再生又はスクラップされる場合に、バイラルの送信モジュール、又は更新及び送信モジュールを介して送信されたバイラル情報を受信する。
【００３９】
段階４０２で、バイラルシステムは、受信したバイラル情報が、コンテンツの再生処理に基づいて送信されたか否かを確認し、再生による送信である場合は、段階４０３を遂行し、再生による送信でない場合は、段階４０５を遂行する。
【００４０】
段階４０３で、バイラルシステムは、バイラル情報をデータベースに記録する。
【００４１】
段階４０４で、バイラルシステムは、バイラル情報に基づいてコンテンツの視聴回数を更新する。この場合、段階４０４は、同一バイラルＩＤのコンテンツに対してバイラルレベル及び位置情報別に、視聴回数を分類して更新する段階である。
【００４２】
段階４０５で、バイラルシステムは、段階４０２において受信したバイラル情報が再生による送信でないと判別されたコンテンツが、スクラップ（スクラップ処理）された場合に送信されたバイラル情報であるか否かを確認し、スクラップによる送信である場合は、段階４０６を遂行し、スクラップによる送信でない場合は、段階３０３を遂行する。
【００４３】
段階４０６で、バイラルシステムは、バイラル情報をデータベースに記録する。
【００４４】
段階４０７で、バイラルシステムは、受信したバイラル情報に基づいてコンテンツのスクラップ回数を更新する。この場合、段階４０７では、同一バイラルＩＤのコンテンツに対してバイラルレベル及び位置情報別に、スクラップ回数を分類して保存又は更新する段階である。
【００４５】
図５は、コンテンツのスクラップによるバイラル情報の取得方法についての一例を示した図である。図５に示すように、コンテンツに挿入されたバイラルであるバイラル母体５０１は、コンテンツがスクラップされる場合、スクラップされたコンテンツに相続され（スクラップされたコンテンツにバイラル母体５０１がコピーされ）、状態情報５０２も同様に、相続されたバイラル５０３の母体情報５０４として相続され、バイラル５０３は、母体情報５０４に基づいて状態情報５０５を更新する。
【００４６】
すなわち、状態情報５０５において、バイラルレベルは、母体情報５０４のバイラルレベルに基づいて決定され、位置情報（Ｌｏｃａｔｉｏｎ  Ｉｎｆｏｒｍａｔｉｏｎ：ＬＩ）は、コンテンツがスクラップされて掲載されたサイトのＩＰアドレス又はＵＲＬに基づいて決定される。また、状態情報５０５のバイラルナンバーは、同一バイラルＩＤ、同一バイラルレベルを有するコンテンツを区別するためにスクラップされた順によって決定される。
【００４７】
このようにコンテンツがスクラップされる場合、バイラル５０３は、母体情報５０４及び状態情報５０５を含むバイラル情報をバイラルシステム５０６に送信し、バイラルシステム５０６は、受信したバイラル情報をデータベースに記録してコンテンツに対するスクラップ回数を更新する。このとき、スクラップ回数は、バイラルレベル及び位置情報によって分類されて保存又は更新される。
【００４８】
図６は、コンテンツの再生又はスクラップ遂行の際の処理方法を説明するための一例を示した図である。
【００４９】
コンテンツが再生される場合、バイラル６０１は、送信モジュール６０２を介して母体情報及び状態情報を含むバイラル情報をバイラルシステム６０３に送信する。このとき、バイラルシステム６０３は、受信したバイラル情報をデータベースに記録し、状態情報のバイラルレベル及び位置情報によって分類して当該コンテンツに対する視聴回数を更新する。
【００５０】
一方、コンテンツがスクラップされる場合、バイラル６０１は、スクラップされたコンテンツ内に相続される。このとき、バイラル６０１の状態情報は、新しいバイラルの母体情報となり、バイラル６０１に含まれた更新及び送信モジュール６０４にて新しい母体情報に基づいて新しいバイラルの状態情報を更新する。また、位置情報はスクラップされたコンテンツが掲載されるサイトのＩＰアドレス又はＵＲＬに更新され、バイラルナンバーは、スクラップが成される順に（度に）増加するため、同一バイラルＩＤ及び同一バイラルレベルを有する新しいバイラルが区別される。
【００５１】
このように、新しいバイラルの母体情報及び状態情報を含むバイラル情報は、更新及び送信モジュール６０４によってバイラルシステム６０３に送信され、バイラルシステム６０３は、受信したバイラル情報をデータベースに記録し、状態情報のバイラルレベル及び位置情報に応じて分類して、コンテンツに対するスクラップ回数を保存又は更新する。
【００５２】
なお、データベースに該当するコンテンツに対して記録されていないバイラルレベル及び位置情報がバイラルシステム６０３に送信される場合に、スクラップ回数が保存される。
【００５３】
図７は、本発明の一実施形態において、コンテンツ費用を算出する方法を示したフローチャートである。図７に示すように、段階７１０〜７２０は、段階３０３に含まれて遂行される。
【００５４】
段階７１０で、バイラルシステムは、バイラル情報を記録するデータベースからコンテンツに対するバイラル情報及び視聴回数を確認する。このとき、視聴回数は、バイラル情報が含む伝播情報及び位置情報によって分類されてデータベースに保存されている。
【００５５】
段階７２０で、バイラルシステムは、視聴回数にバイラル情報を介して選択されたコンテンツ加重値を付与し、コンテンツに対するコンテンツ費用を算出する。この場合、段階７２０は、段階７２１〜７２４を含む。
【００５６】
段階７２１で、バイラルシステムは、伝播情報が含むバイラルレベルによって既設定された第１コンテンツ加重値を選択する。
【００５７】
段階７２２で、バイラルシステムは、位置情報によって既設定された第２コンテンツ加重値を選択する。
【００５８】
段階７２３で、バイラルシステムは、視聴回数、当該コンテンツの１回の視聴による費用、第１コンテンツ加重値及び第２コンテンツ加重値に基づいてバイラル費用を算出する。このとき、バイラル費用は以下の数式１のように定義される。
【００５９】
（数１）
Ｎ×α×（βまたはΓ）×視聴回数＝バイラル費用
【００６０】
このとき、Ｎは、コンテンツの１回の視聴による費用を示し、αは、バイラルレベルによる第１コンテンツ加重値を示し、βおよびΓは、位置情報による第２コンテンツ加重値をそれぞれ示す。また、βは、コンテンツが初めて掲載された位置情報に対する加重値を示し、Γは、位置情報以外の位置情報に対する加重値をそれぞれ示す。
【００６１】
段階７２４で、バイラルシステムは、バイラル費用を合算して当該コンテンツに対するコンテンツ費用を算出する。すなわち、コンテンツに対するバイラルレベル別及び位置情報別の視聴回数に対する加重値を適用して、バイラル費用を生成し、コンテンツに対するバイラル費用をすべて合算してコンテンツ費用として算出することができる。
【００６２】
このように、本実施形態では、バイラルを介してバイラルマーケティング又はＷＯＭマーケティングなどの構成要素となるコンテンツの伝播情報及び位置情報を取得することで、バイラルマーケティング又はＷＯＭマーケティングなどの広告費用を算出することができる。
【００６３】
図８は、コンテンツ費用を算出する方法の一例を示した図である。図８に示すように、任意のコンテンツに対してバイラルレベル別に既設定された第１コンテンツ加重値８０１、位置情報によって既設定された第２コンテンツ加重値８０２及び８０３、視聴回数８０４及び当該コンテンツの１回の視聴に対する費用に基づき、図７で説明した数式１のような方法を介してバイラル費用８０５を計算することができる。
【００６４】
このとき、第２コンテンツ加重値８０２及び８０３は、当該コンテンツが初めて掲載されたサイトの位置情報によって内部的に分類された視聴回数に対する第２コンテンツ加重値８０２と、サイトの位置情報を除いた残りの位置情報によって外部的に分類された視聴回数に対する第２コンテンツ加重値８０３と、を含むことができる。
【００６５】
図９は、本発明の他の実施形態において、バイラルシステムの内部構成を説明するためのブロック図である。図９に示すように、バイラルシステム９００は、バイラル挿入部９０１と、バイラル情報獲得（取得）部９０２と、データベース９０３と、コンテンツ費用算出部９０４と、を含むことができる。
【００６６】
バイラル挿入部９０１は、バイラルトラッキングのためのバイラル（バイラルパッケージ）をバイラルマーケティング又はＷＯＭマーケティングの構成要素となるコンテンツに挿入する。
【００６７】
バイラル情報獲得部９０２は、バイラルを介してコンテンツに対するバイラル情報を取得する。バイラルは、コンテンツが再生される場合にバイラル情報をバイラルシステムに送信する送信モジュールとコンテンツがスクラップされる場合にバイラル情報の状態情報をスクラップされるコンテンツの母体情報として相続し、コンテンツの状態情報が含むバイラルレベル、バイラルナンバー及び位置情報を更新してバイラルシステムに送信する更新及び送信モジュールとを含むことができる。
【００６８】
このようなバイラル情報は、スクラップされたコンテンツの母体となるコンテンツの伝播情報と位置情報を含む母体情報とスクラップされたコンテンツの伝播情報と位置情報を含む状態情報とを含むことができる。
【００６９】
このとき、伝播情報は、（１）コンテンツを識別するためのバイラルＩＤと、（２）コンテンツの伝播等級を示すバイラルレベル（VL）と、（３）同一バイラルＩＤ（VN）、同一バイラルレベルにおいてコンテンツを識別するためのバイラルナンバーと、を含むことができ、位置情報は、コンテンツが露出（表示）されるWEBページのアドレス情報であるＩＰアドレス又はＵＲＬ（LI）を含むことができる。
【００７０】
バイラル情報の処理のために、バイラル情報獲得部９０２は、コンテンツが再生される場合には、バイラルが送信するバイラル情報を受信してデータベース９０３に記録し、バイラル情報に基づいてコンテンツの視聴回数を更新することができる。
【００７１】
また、コンテンツがスクラップされる場合には、バイラルによって更新されて送信されるバイラル情報を受信してデータベース９０３に記録し、バイラル情報に基づいて、コンテンツのスクラップ回数を更新することができる。
【００７２】
コンテンツ費用算出部９０４は、バイラル情報に基づいてコンテンツに対するコンテンツ費用を算出する。このとき、コンテンツ費用算出部９０４は、バイラル情報を記録するデータベースからコンテンツに対するバイラル情報及び視聴回数を確認し、視聴回数にバイラル情報を適用して選択されたコンテンツ加重値を付与してコンテンツに対するコンテンツ費用を算出することができる。
【００７３】
すなわち、コンテンツ費用算出部９０４は、バイラル情報が含む伝播情報及び位置情報によって分類されてデータベースに保存されている視聴回数に、伝播情報が含むバイラルレベル及び前記位置情報によって選択された第１コンテンツ加重値及び第２コンテンツ加重値を付与し、コンテンツの１回の視聴による費用を乗算してバイラル費用を算出し、これらバイラル費用を合算して当該コンテンツに対するコンテンツ費用を算出することができる。
【００７４】
このように、バイラルマーケティング又はＷＯＭマーケティングなどの構成要素となるコンテンツの伝播情報及び位置情報を取得することができるバイラルをコンテンツに挿入し、バイラルを介して伝播されたコンテンツに対する伝播情報及び位置情報を取得することで、バイラルマーケティング又はＷＯＭマーケティングなどの広告費用を算出することができる。
【００７５】
また、映像、音源、イメージ、プログラムなどのコンテンツに対しての流布度及び利用度を把握し、必要に応じてコンテンツの使用料を算出して課金のために用いることができる。
【００７６】
なお、本発明に係る実施形態は、コンピュータにより具現される多様な動作を実行するためのプログラム命令を含むコンピュータ読み取り可能な媒体を含む。前記媒体は、プログラム命令、データファイル、データ構造などを単独または組み合わせて含むこともできる。前記媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。前記媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００７７】
上述したように、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００７８】
【図１】従来技術におけるバイラルマーケティングを説明するための図である。
【図２】本発明の一実施形態におけるバイラルトラッキング及び課金を遂行するシステムの概括的な様子を示した図である。
【図３】本発明の一実施形態におけるバイラルシステムでバイラルトラッキング及び課金を遂行する方法を示したフローチャートである。
【図４】本発明の一実施形態におけるバイラル情報を獲得して処理する方法を示したフローチャートである。
【図５】コンテンツのスクラップによるバイラル情報の獲得方法に対する一例を示した図である。
【図６】コンテンツの再生又はスクラップ遂行の際の処理方法を説明するための一例を示した図である。
【図７】本発明の一実施形態におけるコンテンツ費用を算出する方法を示したフローチャートである。
【図８】コンテンツ費用を算出する方法の一例を示した図である。
【図９】本発明の他の実施形態におけるバイラルシステムの内部構成を説明するためのブロック図である。
【符合の説明】
【００７９】
９００：バイラルシステム
９０１：バイラル挿入部
９０２：バイラル情報獲得部
９０３：データベース
９０４：コンテンツ費用算出部
【図１】
2008009988.tif 000003
【図２】
2008009988.tif 000004
【図３】
2008009988.tif 000005
【図４】
2008009988.tif 000006
【図５】
2008009988.tif 000007
【図６】
2008009988.tif 000008
【図７】
2008009988.tif 000009
【図８】
2008009988.tif 000010
【図９】
2008009988.tif 000011